(57)【要約】【課題】ショッピングカートに入れられた商品は、精算が完了するまで取り出すことができなかった。【解決手段】商品が買物籠に入れられる毎に、前記商品から、当該商品の名称及び価格を読み出す読出部と、前記読み出された商品の名称及び価格を記憶する記憶部と、前記記憶部に記憶されている、全ての商品の合計金額を算出する算出部と、前記合計金額の精算に供すべく、精算装置に前記合計金額を表す合計金額データを送信する送信部と、を含むことを特徴とする精算カード。【選択図】図３
2009265789.tif 000002
【特許請求の範囲】
【請求項１】
商品が買物籠に入れられる毎に、前記商品から、当該商品の名称及び価格を読み出す読出部と、
前記読み出された商品の名称及び価格を記憶する記憶部と、
前記記憶部に記憶されている、全ての商品の合計金額を算出する算出部と、
前記合計金額の精算に供すべく、精算装置に前記合計金額を表す合計金額データを送信する送信部と、を含むことを特徴とする精算カード。
【請求項２】
前記読出部は、前記買物籠に入れられた前記商品が前記買物籠から取り出されたとき、前記商品から、当該商品の名称及び価格を読み出し、
前記算出部は、前記取り出された商品の前記商品データに基づき、前記合計金額を修正することを特徴とする請求項１記載の精算カード。
【請求項３】
前記記憶部は、ＦｅＲＡＭであることを特徴とする請求項１、請求項２記載の精算カード。
【請求項４】
請求項１〜請求項３記載の精算カードを備えることを特徴とする買物籠。
【発明の詳細な説明】
【技術分野】
【０００１】
本発明は、スーパーマーケット及びコンビニエンスストア等の店舗での買い物の精算のために用いられる精算カード、及び、当該精算カードを備える買物籠に関する。
【背景技術】
【０００２】
下記の特許文献１に記載されているように、従来、スーパーマーケット及びコンビニエンスストア等の店舗では、買い物客が、ショッピングカートに商品を入れる毎に、当該ショッピングカートに備えられた商品情報読取装置（例えば、バーコードリーダ）が、前記商品に付けられている商品情報を読み取る。
【０００３】
【特許文献１】特開平８−１４２８７１号公報
【発明の開示】
【発明が解決しようとする課題】
【０００４】
しかしながら、上記した従来のショッピングカートでは、前記ショッピングカートに入れられた商品は、精算が完了するまで取り出すことができず、例えば、買物客が、一旦ショッピングカートに入れた商品を別な商品と入れ換えることができないという問題があった。
【課題を解決するための手段】
【０００５】
本発明は、上記した課題を解決すべく、以下の適用例により実現される。
【０００６】
［適用例１］
商品が買物籠に入れられる毎に、前記商品から、当該商品の名称及び価格を読み出す読出部と、
前記読み出された商品の名称及び価格を記憶する記憶部と、
前記記憶部に記憶されている、全ての商品の合計金額を算出する算出部と、
前記合計金額の精算に供すべく、精算装置に前記合計金額を表す合計金額データを送信する送信部と、を含むことを特徴とする精算カード。
【０００７】
［適用例２］
前記読出部は、前記買物籠に入れられた前記商品が前記買物籠から取り出されたとき、前記商品から、当該商品の名称及び価格を読み出し、
前記算出部は、前記取り出された商品の前記商品データに基づき、前記合計金額を修正することを特徴とする適用例１の精算カード。
【０００８】
［適用例３］
前記記憶部は、ＦｅＲＡＭであることを特徴とする適用例１、適用例２の精算カード。
【０００９】
［適用例４］
適用例１〜適用例３の精算カードを備えることを特徴とする買物籠。
【発明を実施するための最良の形態】
【００１０】
実施例の買物籠について図面を参照して説明する。
【００１１】
〈構成〉
図１は、実施例の精算カードを備える買物籠を示す。実施例の買物籠ＢＳは、図２に示されるような、各々タグＴ（例えば、ＲＦＩＤ）が付けられている商品Ｍ１ａ、Ｍ１ｂ、Ｍ１ｃ、．．．（パン）、商品Ｍ２ａ、Ｍ２ｂ、Ｍ２ｃ、．．．（牛乳）、商品Ｍ３ａ、Ｍ３ｂ、Ｍ３ｃ、．．．（いちご）が陳列棚Ｓに並べられているスーパーマーケット及びコンビニエンスストア等の店舗で、買物客ＣＳ（図６に図示。）が買い物をするときに用いられ、図１に示されるように、籠本体Ｂと、取っ手Ｈとからなり、更に、精算カードＣを備える。
【００１２】
精算カードＣは、図１に示されるように、買物籠ＢＳの側面に取り付けられており、図３に示されるように、読出部ＲＤと、処理部ＰＲと、記憶部ＳＴとを有する。
【００１３】
読出部ＲＤは、買物客ＣＳが買物籠ＢＳに当該買物客ＣＳが購入しようとする商品を入れるときに、当該商品のタグＴから当該商品の商品データ、即ち、当該商品の名称及び価格を読み出す。精算カードＣは、例えば、買物客ＣＳが、買物籠ＢＳに商品Ｍ１ａを入れるとき、商品Ｍ１ａのタグＴから、当該商品Ｍ１ａの商品名及び価格を読み出す。
【００１４】
『算出部』として機能する処理部ＰＲは、前記読み出された商品の名称及び価格を記憶部ＳＴに書き込み、例えば、買物客ＣＳが、商品Ｍ１ａ（パン）、Ｍ２ａ（牛乳）、Ｍ３ａ（いちご）を買物籠ＢＳに入れたとき、図４に示されるように、記憶部ＳＴに、商品Ｍ１ａの名称「パン」及びその価格「￥２００」、商品Ｍ２ａの名称「牛乳」及びその価格「￥１００」、並びに、商品Ｍ３ａの名称「いちご」及びその価格「￥５００」を書き込む。
【００１５】
処理部ＰＲは、更に、前記記憶部ＳＴに記憶されている商品全ての価格の合計金額を算出し、例えば、記憶部ＳＴに、図４に示されるように、合計金額「￥８００」を算出する。
【００１６】
記憶部ＳＴは、上記したように、前記読出部ＲＤによって、商品のタグＴから読み出された商品の名称及びその価格が、図４に示されるように、書き込まれる。
【００１７】
〈動作〉
実施例の買物籠の動作について説明する。
【００１８】
ステップＳ１：買物客ＣＳは、スーパーマーケット及びコンビニエンスストア等の店舗で、店舗に備え付けられている買物籠ＢＳを持って、陳列棚Ｓ（図２に図示。）から、図５に示されるように、例えば、商品Ｍ１ａ（パン）、Ｍ２ａ（牛乳）、Ｍ３ａ（いちご）を買物籠ＢＳに入れる。
【００１９】
ステップＳ２：買物籠ＢＳに、商品Ｍ１ａ、Ｍ２ａ、Ｍ３ａが入れられると、精算カードＣでは、読出部ＲＤは、商品Ｍ１ａのタグＴから、商品の名称「パン」及び価格「￥２００」を読み出し、同様にして、商品Ｍ２ａのタグＴから、商品の名称「牛乳」及び価格「￥１００」を読み出し、更に、商品Ｍ３ａから、商品の名称「いちご」及び価格「￥５００」を読み出す。
【００２０】
もし、買物籠ＢＳに一旦入れられた商品、例えば、商品Ｍ３ａが買物籠ＢＳから取り出され、陳列棚Ｓに戻される場合には、前記買物籠ＢＳから取り出されるときに、読出部ＲＤは、前記商品Ｍ３ａの商品の名称及び価格を前記記憶部ＳＴから消去する。
【００２１】
ステップＳ３：処理部ＰＲは、前記商品Ｍ１ａ、Ｍ２ａ、Ｍ３ａの合計金額として、「￥８００」を算出する。
【００２２】
ステップＳ４：買物客ＣＳは、商品の購入を終えると、図６に示すように、店舗内に設置してある精算装置（レジスタ）ＲＧの場所に行き、精算カードＣを精算装置ＲＧのリーダ（読取部）ＲＥに対向させる。これにより、精算装置ＲＧのリーダＲＥは、精算カードＣから、前記合計金額「￥８００」を読み出し、例えば、表示部（図示せず。）に表示する。
【００２３】
ステップＳ５：買物客ＣＳは、前記表示部により示される合計金額を確認した後、レジ係ＲＰに合計金額「￥８００」を支払う。
【００２４】
〈効果〉
上述したように、実施例の買物籠ＢＳでは、読出部ＲＤが、買物籠ＢＳに、商品Ｍ１ａ（パン）、Ｍ２ａ（牛乳）、Ｍ３ａ（いちご）が入れられる毎に、商品Ｍ１ａ、Ｍ２ａ、Ｍ３ａのタグＴから商品の名称及び価格を読み出し、記憶部ＳＴが、前記読み出された商品データを記憶し、処理部ＰＲが、前記記憶部ＳＴに記憶されている全ての商品の価格の合計金額「￥８００」を算出し、他方で、精算装置ＲＧの読取部ＲＥが、前記記憶部ＳＴから、前記合計金額「￥８００」を読み出し、買物客ＣＳが、当該合計金額「￥８００」を支払うことにより精算が完了する。これにより、買物客ＣＳは、レジで精算を済ませるために待つ必要がなくなる。加えて、例えば、商品Ｍ３ａの購入を中止するとき、即ち、買物籠ＢＳから商品Ｍ３ａを取り出すときには、読出部ＲＤが、当該商品Ｍ３ａの名称及び価格を読み出すことにより、前記記憶部ＳＴから当該商品Ｍ３ａの商品名及び価格を削除することから、従来と異なり、一旦買物籠ＢＳに入れた商品を別な商品と入れ換えることが可能となる。
【図面の簡単な説明】
【００２５】
【図１】実施例の買物籠の構成を示す図。
【図２】実施例の陳列棚を示す図。
【図３】実施例の精算カードを示す図。
【図４】実施例の記憶部の記憶内容を示す図。
【図５】実施例の買物の状況を示す図。
【図６】実施例の精算の状況を示す図。
【符号の説明】
【００２６】
Ｃ…精算カード、ＲＤ…読出部、ＰＲ…処理部、ＳＴ…記憶部。
【図１】
2009265789.tif 000003
【図２】
2009265789.tif 000004
【図３】
2009265789.tif 000005
【図４】
2009265789.tif 000006
【図５】
2009265789.tif 000007
【図６】
2009265789.tif 000008